【手続補正書】
【提出日】平成21年2月25日(2009.2.25)
【手続補正１】
【補正対象書類名】特許請求の範囲
【補正対象項目名】全文
【補正方法】変更
【補正の内容】
【特許請求の範囲】
【請求項１】
一対の電極間に発光領域を有し、
前記発光領域は、複数種の発光量子収率の高い物質と、一種または複数種のキャリア輸送性の高い物質とを含み、
前記発光領域は、前記キャリア輸送性の高い物質に分散している前記発光量子収率の高い物質の濃度が周期的に変化していることを特徴とする発光素子。
【請求項２】
一対の電極の間に発光領域を有し、
前記発光領域は、複数種の発光量子収率の高い物質と、一種または複数種のキャリア輸送性の高い物質とを含み、
前記発光領域は、前記キャリア輸送性の高い物質に前記発光量子収率の高い物質が分散している第１の領域と、前記キャリア輸送性の高い物質の濃度が高い第２の領域とが交互に積層している構造を有することを特徴とする発光素子。
【請求項３】
請求項２において、前記キャリア輸送性の高い物質の最高被占軌道準位よりも前記発光量子収率の高い物質の最高被占軌道準位が高く、かつ、前記キャリア輸送性の高い物質の最低空軌道準位よりも前記発光量子収率の高い物質の最低空軌道が低いことを特徴とする発光素子。
【請求項４】
請求項２または請求項３において、前記第１の領域の厚さは、２０ｎｍ以下であることを特徴とする発光素子。
【請求項５】
請求項２または請求項３において前記第１の領域の厚さは、５ｎｍ以下であることを特徴とする発光素子。
【請求項６】
請求項２乃至請求項５のいずれか一項において、前記第２の領域の厚さは、２０ｎｍ以下であることを特徴とする発光素子。
【請求項７】
請求項２乃至請求項５のいずれか一項において、前記第２の領域の厚さは、５ｎｍ以下であることを特徴とする発光素子。
【請求項８】
請求項２乃至請求項７のいずれか一項において、前記第１の領域は、前記発光量子収率の高い物質を０．００１ｗｔ％以上５０ｗｔ％以下の濃度で含むことを特徴とする発光素子。
【請求項９】
請求項２乃至請求項７のいずれか一項において、前記第１の領域は、前記発光量子収率の高い物質を０．０３ｗｔ％以上３０ｗｔ％以下の濃度で含むことを特徴とする発光素子。
【請求項１０】
請求項１乃至請求項９のいずれか一項において、
前記複数種の発光量子収率の高い物質は、互いに補色の関係にある色を発光する物質であることを特徴とする発光素子。
【請求項１１】
請求項１乃至請求項９のいずれか一項において、
前記発光素子は白色発光することを特徴とする発光素子。
【請求項１２】
請求項１乃至請求項１１のいずれか一項において、前記発光量子収率の高い物質は蛍光を発光することを特徴とする発光素子。
【請求項１３】
請求項１乃至請求項１１のいずれか一項において、前記発光量子収率の高い物質は燐光を発光することを特徴とする発光素子。
【請求項１４】
請求項１３において、前記発光量子収率の高い物質の三重項準位は、前記キャリア輸送性の高い物質の三重項準位よりも低いことを特徴とする発光素子。
【請求項１５】
請求項１乃至請求項１４のいずれか一項に記載の発光素子と、前記発光素子の発光を制御する制御回路とを有する発光装置。
【請求項１６】
基板を保持する保持部と、蒸発源を保持する保持部と、前記基板を保持する保持部と前記蒸発源を保持する保持部との間に設けられた開口部を有する回転板と、
を有する蒸着装置を用い、
前記回転板を回転させることにより積層膜の膜厚を制御することを特徴とする発光素子の作製方法。
【請求項１７】
基板を保持する保持部と、３つ以上の蒸発源を保持する保持部と、前記基板を保持する保持部と前記蒸発源を保持する保持部との間に設けられた複数の開口部を有する回転板と、
を有する蒸着装置を用い、
前記複数の蒸発源には、それぞれ、複数の発光量子収率の高い物質と、一種または複数のキャリア輸送性の高い物質とが、保持されており、
前記回転板を回転させることにより、前記複数の発光量子収率の高い物質の濃度が高い領域と、前記キャリア輸送性の高い物質に発光量子収率の高い物質を分散した領域とを交互に形成していくことを特徴とする発光素子の作製方法。
【請求項１８】
基板を保持する保持部と、３つ以上の蒸発源を保持する保持部と、前記基板を保持する保持部と前記蒸発源を保持する保持部との間に設けられた第１の開口部と第２の開口部とを有する回転板と、
を有する蒸着装置を用い、
前記蒸発源には、それぞれ、複数の発光量子収率の高い物質と、一種または複数種のキャリア輸送性の高い物質と、が保持されており、
前記キャリア輸送性の高い物質が保持された蒸発源は、回転板が回転したときに前記第１の開口部の近くに存在するように配置され、
前記発光量子収率の高い物質が保持された蒸発源は、回転板が回転したときに前記第２の開口部の近くに存在するように配置され、
前記回転板を回転させることにより、
前記第１の開口部が、前記キャリア輸送性の高い物質が保持された蒸発源の近くに位置しているとき、前記基板上に前記キャリア輸送性の高い物質の濃度が高い領域が形成され、
前記第２の開口部が、前記発光量子収率の高い物質が保持された蒸発源の近くに位置しているとき、前記基板上に前記発光量子収率の高い物質の濃度が高い領域が形成され、
前記キャリア輸送性の高い物質の濃度が高い領域と前記発光量子収率の高い物質の濃度が高い領域が形成されていくことを特徴とする発光素子の作製方法。
【請求項１９】
基板を保持する保持部と、複数の蒸発源を保持する保持部と、前記基板を保持する保持部と前記蒸発源を保持する保持部との間に設けられた第１の開口部と第２の開口部とを有する回転板と、
を有する蒸着装置を用い、
前記複数の蒸発源には、それぞれ、ｎ（ｎは２以上の整数）種の発光量子収率の高い物質と、キャリア輸送性の高い物質と、が保持されており、
前記キャリア輸送性の高い物質が保持された蒸発源は、回転板が回転したときに前記第１の開口部の近くに存在するように配置され、
互いに異なる発光量子収率の高い物質が保持されたｎ個の蒸発源は、回転板が回転したときに前記第２の開口部の近くに存在するように配置され、
前記回転板を回転させることにより、
前記第１の開口部が、前記キャリア輸送性の高い物質が保持された蒸発源の近くに位置しているとき、前記基板上に前記キャリア輸送性の高い物質の濃度が高い領域が形成され、
前記第２の開口部が、前記発光量子収率の高い物質が保持された蒸発源の近くに位置しているとき、前記基板上に前記発光量子収率の高い物質の濃度が高い領域が形成され、
ｎ種の発光量子収率の高い物質の濃度が高い各領域の間に、前記キャリア輸送性の高い物質の濃度が高い領域が形成されていることを特徴とする発光素子の作製方法。
【請求項２０】
請求項１７乃至請求項１９のいずれか一項において、
前記キャリア輸送性の高い物質の最高被占軌道準位よりも前記発光量子収率の高い物質の最高被占軌道準位が高く、かつ、前記キャリア輸送性の高い物質の最低空軌道準位よりも前記発光量子収率の高い物質の最低空軌道が低いことを特徴とする発光素子の作製方法。
【請求項２１】
請求項１７乃至請求項２０のいずれか一項において、
前記複数種の発光量子収率の高い物質は、互いに補色の関係にある色を発光する物質であることを特徴とする発光素子の作製方法。
【請求項２２】
請求項１７乃至請求項２０のいずれか一項において、
前記発光素子は白色発光をすることを特徴とする発光素子の作製方法。